【手続補正書】
【提出日】平成16年11月2日(2004.11.2)
【手続補正１】
【補正対象書類名】明細書
【補正対象項目名】特許請求の範囲
【補正方法】変更
【補正の内容】
【特許請求の範囲】
【請求項１】長尺の第１の軸位置設定部材および該第１の軸位置設定部材からの間隙を置いて配置される長尺の第２の軸位置設定部材と、
前記軸位置設定部材の間に渡され、それぞれの一端部が前記第１の軸位置設定部材と一部品となるように一体に成形され、それぞれの他端部が前記第２の軸位置設定部材に形成される、ソケット内に収容される１つまたはそれ以上の第１の軸と、
コンベヤー上で移動する品物と係合するように前記軸のそれぞれに取り付けられる１つまたそれ以上の回転可能要素と、
を備える、コンベヤー上で移動する品物を案内する装置。
【請求項２】前記第２の軸位置設定部材が、該第２の軸位置設定部材と一体に形成された一端部および前記第１の軸位置設定部材に形成されたソケット内に伸びる他端部を有する１つまたはそれ以上の第２の軸を有し、該第２の軸には、１つまたはそれ以上の回転可能要素が取り付けられる、請求項１に記載の装置。
【請求項３】前記第１の軸が、前記第２の軸の間に取付けられる、請求項２に記載の装置。
【請求項４】前記軸上に位置し、１つの軸上の回転可能要素を隣接した軸上の回転可能要素に関して垂直にオフセットするスペーサを含む、請求項１に記載の装置。
【請求項５】前記スペーサが、前記軸位置設定部材の少なくとも１つと一体に形成される、請求項４に記載の装置。
【請求項６】前記軸の他端部または前記ソケットが、前記軸が前記ソケット内に容易に進入するようにテーパー状となっている、請求項１に記載の装置。
【請求項７】前記ソケット内に軸を支持するように前記軸位置設定部材を収容するチャネルを有する第１および第２のガイドレールを含む、請求項１に記載の装置。
【請求項８】前記レールおよび前記軸位置設定部材は、通常の使用時において付与される荷重によって曲がらないように剛性であるが、使用する前に曲線状の形状となるように曲げ可能である、請求項７に記載の装置。
【請求項９】前記軸位置設定部材が、該軸位置設定部材の曲げを容易にするためのノッチが形成されたエッジを有する、請求項８に記載の装置。
【請求項１０】前記第１および第２のガイドレールが、該レールの外面に沿ってＶ字形状の突出部を含む表面を有する、請求項９に記載の装置。
【請求項１１】前記軸位置設定部材は、前記軸に平行な軸線周りに可撓である、請求項８に記載の装置。
【請求項１２】前記レールおよび前記軸位置設定部材は、通常の使用時において付与される荷重によって曲がらないように剛性であるが、使用する前に曲線状の形状となるように曲げ可能である、請求項１に記載の装置。
【請求項１３】前記軸位置設定部材が、該軸位置設定部材の曲げを容易にするためのノッチが形成されたエッジを有する、請求項１２に記載の装置。
【請求項１４】前記軸位置設定部材は、前記軸に平行な軸線周りに可撓である、請求項１２に記載の装置。
【請求項１５】長尺の第１の軸位置設定部材および該第１の軸位置設定部材から一定の間隔を置いて配置された長尺の第２の軸位置設定部材と、
それぞれ前記軸位置設定部材の１つと一部品となるように一体に成形される１つまたはそれ以上のスペーサと、
前記軸位置設定部材のそれぞれに形成された１つまたはそれ以上のソケットと、
前記軸位置設定部材の間に渡される１つまたはそれ以上の軸と、
コンベヤー上で移動する品物と係合するように前記軸のそれぞれに取り付けられる１つまたそれ以上の回転可能要素と、
を備える、コンベヤー上で移動する品物を案内する装置。
【請求項１６】前記軸が、第１の端部および第２の端部のいずれか一方または両方においてテーパー状とされ、または、前記ソケットが、前記軸の該ソケット内への進入を容易にするためにテーパー状とされる、請求項１３に記載の装置。
【請求項１７】前記ソケット内に軸を維持するように前記軸位置設定部材を収容するチャネルを備える第１および第２のレールを含む、請求項１５に記載の装置。
【請求項１８】前記レールおよび前記軸位置設定部材は、通常の使用時において付与される荷重によって曲がらないように剛性であるが、使用する前に曲線状の形状となるように曲げ可能である、請求項１７に記載の装置。
【請求項１９】前記軸位置設定部材が、該軸位置設定部材の曲げを容易にするためのノッチが形成されたエッジを有する、請求項１８に記載の装置。
【請求項２０】前記第１および第２のガイドレールが、該レールの外面に沿ってＶ字形状の突出部を含む表面を有する、請求項１９に記載の装置。
【請求項２１】前記軸位置設定部材は、前記軸に平行な軸線周りに可撓である、請求項１８に記載の装置。
【請求項２２】上向きに配置され、一体に形成された軸を有する軸位置設定部材を提供するステップと、
前記軸上に適切な個数の回転可能要素を配置するステップと、
前記軸の自由端に第２の軸位置設定部材を固定するステップと、
軸位置設定部材を収容するように間隔を置いて配置されたチャネルを有する支持構造体内に組み立てられた軸位置設定部材および回転可能要素を摺動自在に挿入するステップと
を含む、ローリングコンベヤーガイドを組み付ける方法。
【請求項２３】上向きに配置され、一体に形成された軸を有する軸位置設定部材を提供するステップと、
前記軸上に適切な個数の回転可能要素を配置するステップと、
前記軸の自由端に第２の軸位置設定部材を固定するステップと、
軸位置設定部材を収容するように間隔を置いて配置されたチャネルを有する支持構造体内に組み立てられた軸位置設定部材および回転可能要素を摺動自在に挿入するステップと、を含み、前記第２の軸位置設定部材の端部が、前記第１の軸位置設定部材の端部と直接対向しないように、前記第２の軸位置設定部材を前記第１の軸位置設定部材から水平方向にオフセットさせる、ローリングコンベヤーガイドを組み付ける方法。
【請求項２４】前記支持構造体および前記軸位置設定部材を曲げるステップをさらに含む、請求項２２に記載の方法。
【請求項２５】ノッチが形成されたエッジを有し、間隔を置いて位置する一対の長尺の軸位置設定部材と、
前記軸位置設定部材の間に渡される複数の軸と、
前記軸のそれぞれに取り付けられる１つまたはそれ以上の回転可能要素と、
を含み、前記軸位置設定部材の前記ノッチが形成されたエッジは、前記軸間の各エッジに１つのノッチが位置するように形成され、前記ノッチは、前記軸位置設定部材をその長さ方向軸に垂直な軸の中心周りの曲げを容易にする、
コンベヤー上で移動する品物を案内する装置。
【請求項２６】前記軸位置設定部材の１つをそれぞれ収容するためのチャネルを有し、間隔を置いて位置する一対の長尺のレールを含む、請求項２５に記載の装置。
【請求項２７】前記レールが、該レールの外面に沿ってＶ字形状の突出部を含む部分を有する、請求項２０に記載の装置。
【手続補正２】
【補正対象書類名】図面
【補正対象項目名】全図
【補正方法】変更
【補正の内容】
【図１】
2004532779.tif 000001
【図２】
2004532779.tif 000002
【図３】
2004532779.tif 000003
【図４】
2004532779.tif 000004
【図５】
2004532779.tif 000005
【図６】
2004532779.tif 000006
【図７】
2004532779.tif 000007
【図８】
2004532779.tif 000008
【図９】
2004532779.tif 000009
【図１０】
2004532779.tif 000010
【図１１】
2004532779.tif 000011
【図１２】
2004532779.tif 000012